(57)【要約】【課題】制御器と駆動回路との間における正確な画像情報伝達を実現する。【解決手段】本発明は、複数のデータ線に接続される複数の画素を有する表示装置の駆動装置であって、複数の画像信号群とこれに対応する複数の識別コードを生成する信号制御部と、複数の識別コードのうちの少なくとも２つの識別コード及び少なくとも２つの識別コードに対応する画像信号群を受信し、画像信号をデータ信号に変換してデータ線に印加する複数のデータ駆動回路とを有し、データ駆動回路の各々は、少なくとも２つの識別コードを互いに比較し、その結果に基づいて前記画像信号群のうちの１つを選択してデータ信号に変換し、残りの画像信号群は他のデータ駆動回路に出力する。【選択図】  図５
2007213077.tif 000002
【特許請求の範囲】
【請求項１】
複数のデータ線に接続される複数の画素を有する表示装置の駆動装置であって、複数の画像信号群とこれに対応する複数の識別コードを生成する信号制御部と、
前記複数の識別コードのうちの少なくとも２つの識別コード及び前記少なくとも２つの識別コードに対応する画像信号群を受信し、前記画像信号をデータ信号に変換して前記データ線に印加する複数のデータ駆動回路
とを有し、
前記データ駆動回路の各々は、前記少なくとも２つの識別コードを互いに比較し、その結果に基づいて前記画像信号群のうちの１つを選択してデータ信号に変換し、残りの画像信号群は他のデータ駆動回路に出力することを特徴とする駆動装置。
【請求項２】
前記データ駆動回路の各々は、前記識別コードのうちの最大値または最小値を有する識別コードに対応する画像信号群を選択することを特徴とする請求項１に記載の駆動装置。
【請求項３】
前記データ駆動回路の各々は、前記複数の画像信号群を受信し、前記複数の識別コードを比較し、その結果に基づいて前記複数の画像信号群のうちの１つを選択する入力部と、
前記選択された画像信号群を前記データ信号に変換して前記データ線に印加するデータ変換部と、
前記残りの画像信号群を出力する出力部と
を有することを特徴とする請求項１に記載の駆動装置。
【請求項４】
前記信号制御部と前記データ駆動回路のうちの１つの間に接続されている複数の伝送線を有する第１データ伝送線群をさらに有することを特徴とする請求項１〜請求項３のいずれか一項に記載の駆動装置。
【請求項５】
前記データ駆動回路は一列に配列され、前記駆動装置は少なくとも１つの伝送線を有する複数の第２データ伝送線群をさらに有し、前記第２データ伝送線群の各々は隣接した２つのデータ駆動回路の間に接続されており、互いに異なるデータ駆動回路の間に接続される第２データ伝送線群に属する伝送線の数は互いに異なることを特徴とする請求項４に記載の駆動装置。
【請求項６】
互いに異なる画像信号群は互いに異なる伝送線を介して伝送できることを特徴とする請求項５に記載の駆動装置。
【請求項７】
前記各伝送線は互いに異なる画像信号を伝達する複数の信号線を有し、前記識別コードは前記信号線のうちの１つを介して伝送できることを特徴とする請求項６に記載の駆動装置。
【請求項８】
ゲート線及びデータ線に接続される複数の画素と、
前記ゲート線にゲート信号を印加するゲート駆動部と、
複数の画像信号群とこれに対応する複数の識別コードを生成する信号制御部と、
前記識別コードに基づき、前記画像信号群を信号処理し、前記画像信号をデータ信号に変換して前記データ線に印加するデータ駆動部とを有し、
前記データ駆動部は複数の駆動回路を有し、前記識別コードを互いに比較して対応する画像信号群を処理する駆動回路を指定することを特徴とする表示装置。
【請求項９】
前記データ駆動回路の各々は、前記識別コードのうちの最大値または最小値を有する識別コードに対応する画像信号群を選択することを特徴とする請求項８に記載の表示装置。
【請求項１０】
複数の識別コード及びこれに対応する複数の画像信号群を受信し、
前記複数の識別コードを互いに比較し、
前記比較結果に基づいて１つの画像信号群を選択し、
前記選択された画像信号群を処理して画像を表示し、
前記選択された画像信号群を除いた残りの画像信号群を出力することを含むことを特徴とする表示装置の駆動方法。
【請求項１１】
前記画像信号群を選択することは、前記識別コードのうちの最大値または最小値を有する識別コードに対応する画像信号群を選択することを特徴とする請求項１０に記載の表示装置の駆動方法。
【発明の詳細な説明】
【技術分野】
【０００１】
本発明は表示装置及びそのための駆動装置及び方法に関する。
【背景技術】
【０００２】
最近、パーソナルコンピュータやテレビなどの軽量化及び薄形化が進み、表示装置も軽量化及び薄形化が要求されており、このような要求に応えて陰極線管（ＣＲＴ）がフラットパネル表示装置に代替されている。
【０００３】
このようなフラットパネル表示装置には、液晶表示装置（ＬＣＤ）、電界放出表示装置（ＦＥＤ）、有機発光表示装置、プラズマ表示装置（ＰＤＰ）などがある。このようなフラットパネル表示装置は、画像情報を視覚的形態に表示する複数の画素と、画素に信号を伝達する複数の信号線と、画素を駆動するための駆動装置などを有する。
【０００４】
このような駆動装置には、外部から入る画像情報を表示装置に合うように加工する制御器（ｃｏｎｔｒｏｌｌｅｒ）と、制御器からデジタル画像情報を受信してアナログデータ電圧に変えた後、信号線を介して画素に伝達するための複数の駆動回路とが含まれる。
【０００５】
このとき、制御器は各駆動回路が担当する画像情報を当該駆動回路が正確に受信できるようにしなければならず、このために駆動回路に関する物理的、空間的な情報が制御器に正確に入力される必要がある。しかし、制御器に入力された駆動回路に関する情報が実際と異なることもあり、その結果、駆動回路に誤った画像情報が伝達され、画像がうまく表示されない虞がある。
【発明の開示】
【発明が解決しようとする課題】
【０００６】
そこで、本発明は上記従来の問題点に鑑みてなされたものであって、本発明の目的は、制御器と駆動回路との間における正確な画像情報伝達を実現することにある。
【課題を解決するための手段】
【０００７】
上記目的を達成するためになされた本発明による一実施例による表示装置の駆動装置は、複数のデータ線に接続される複数の画素を有する表示装置の駆動装置であって、複数の画像信号群とこれに対応する複数の識別コードを生成する信号制御部と、複数の識別コードのうちの少なくとも２つの識別コード及び前記少なくとも２つの識別コードに対応する画像信号群を受信し、画像信号をデータ信号に変換してデータ線に印加する複数のデータ駆動回路とを有し、データ駆動回路の各々は、少なくとも２つの識別コードを互いに比較し、その結果に基づいて画像信号群のうちの１つを選択してデータ信号に変換し、残りの画像信号群は他のデータ駆動回路に出力する。
【０００８】
データ駆動回路の各々は、識別コードのうちの最大値または最小値を有する識別コードに対応する画像信号群を選択してもよい。
【０００９】
データ駆動回路の各々は、複数の画像信号群を受信し、複数の識別コードを比較し、その結果に基づいて複数の画像信号群のうちの１つを選択する入力部と、選択された画像信号群をデータ信号に変換してデータ線に印加するデータ変換部と、残りの画像信号群を出力する出力部とを有してもよい。
【００１０】
信号制御部とデータ駆動回路のうちの１つの間に接続されている複数の伝送線を有する第１データ伝送線群をさらに有してもよい。
【００１１】
データ駆動回路は一列に配列され、駆動装置は少なくとも１つの伝送線を有する複数の第２データ伝送線群をさらに有し、第２データ伝送線群の各々は隣接した２つのデータ駆動回路の間に接続されており、互いに異なるデータ駆動回路の間に接続される第２データ伝送線群に属する伝送線の数は互いに異なってもよい。
【００１２】
互いに異なる画像信号群は互いに異なる伝送線を介して伝送してもよい。各伝送線は互いに異なる画像信号を伝達する複数の信号線を有し、識別コードは信号線のうちの１つを介して伝送してもよい。
【００１３】
また、本発明の一実施例による表示装置は、ゲート線及びデータ線に接続される複数の画素と、ゲート線にゲート信号を印加するゲート駆動部と、複数の画像信号群とこれに対応する複数の識別コードを生成する信号制御部と、識別コードに基づき、画像信号群を信号処理し、画像信号をデータ信号に変換してデータ線に印加するデータ駆動部とを有し、データ駆動部は複数の駆動回路を有し、識別コードを互いに比較して対応する画像信号群を処理する駆動回路を指定する。
【００１４】
データ駆動回路の各々は、識別コードのうちの最大値または最小値を有する識別コードに対応する画像信号群を選択してもよい。
【００１５】
また、本発明の一実施例による表示装置の駆動方法であって、本発明は複数の識別コード及びこれに対応する複数の画像信号群を受信し、複数の識別コードを互いに比較し、比較結果に基づいて１つの画像信号群を選択し、選択された画像信号群を処理して画像を表示し、並びに選択された画像信号群を除いた残りの画像信号群を出力することを含む。
【００１６】
画像信号群の選択は、識別コードのうちの最大値または最小値を有する識別コードに対応する画像信号群を選択してもよい。
【発明の効果】
【００１７】
本発明によれば、それぞれのデータ駆動集積回路に識別字を付与する代わりに、画像信号群に識別コードを付与し、識別コードの相互比較によってデータ駆動集積回路が画像信号群を選択するように設定することにより、信号制御部とデータ駆動部との間のエラーによって画像信号群が対応しない他のデータ駆動集積回路に伝送されるのを防止することができる。
【発明を実施するための最良の形態】
【００１８】
添付した図面を用いながら、本発明の実施形態を、本発明が属する技術分野における通常の知識を有する者が容易に実施することができるように詳細に説明する。図面は、各種層及び領域を明確に表現するために、厚さを拡大して示している。明細書全体を通じて類似した部分については同一の参照符号を付けている。層、膜、領域、板などの部分が、他の部分の「上に」あるとするとき、これは他の部分の「すぐ上に」ある場合に限らず、その中間に更に他の部分がある場合も含む。逆に、ある部分が他の部分の「すぐ上に」あるとするとき、これは中間に他の部分がない場合を意味する。
【００１９】
以下に、図１及び図２を参照して本発明の一実施例による表示装置について詳細に説明する。
【００２０】
図１は本発明の一実施例による表示装置のブロック図であり、図２は本発明の一実施例による液晶表示装置の一画素に対する等価回路図であり、表示装置の一例である。
【００２１】
図１に示したように、本発明の一実施例による表示装置は、表示板部３００、表示板部３００と接続されたゲート駆動部（Ｇａｔｅ  Ｄｒｉｖｅｒ）４００及びデータ駆動部（Ｄａｔａ  Ｄｒｉｖｅｒ）５００、データ駆動部５００に接続された階調電圧生成部（Ｇｒａｙ  Ｖｏｌｔａｇｅ  Ｇｅｎｅｒａｔｏｒ）５５０、これらを制御する信号制御部（Ｓｉｇｎａｌ  Ｃｏｎｔｒｏｌｌｅｒ）６００を有する。  
【００２２】
表示板部３００は、等価回路的には、複数の信号線（Ｇ１-Ｇｎ、Ｄ１-Ｄｍ）と、これに接続されほぼ行列状に配列された複数の画素（ＰＸ）を有している。
【００２３】
信号線（Ｇ１-Ｇｎ、Ｄ１-Ｄｍ）はゲート信号（走査信号とも言う）を伝達する複数のゲート線（Ｇ１-Ｇｎ）と、データ信号を伝達する複数のデータ線（Ｄ１-Ｄｍ）とを有する。ゲート線（Ｇ１-Ｇｎ）はほぼ行方向に延在して互いにほぼ平行であり、データ線（Ｄ１-Ｄｍ）はほぼ列方向に延在して互いにほぼ平行である。
【００２４】
図２に示した液晶表示装置において、表示板部３００は、互いに対向する下部及び上部表示板１００、２００とその間に挟持された液晶層３とを有する。液晶表示装置の各画素（ＰＸ）、例えば、ｉ番目（ｉ=１、２、…、ｎ）ゲート線（Ｇｉ）とｊ番目（ｊ=１、２、…、ｍ）データ線（Ｄｊ）に接続された画素（ＰＸ）は、信号線（Ｇｉ、Ｄｊ）に接続されたスイッチング素子（Ｑ）と、これに接続された液晶キャパシタ（Ｃｌｃ）及びストレージキャパシタ（Ｃｓｔ）とを含む。ストレージキャパシタ（Ｃｓｔ）は必要に応じて省略してもよい。
【００２５】
スイッチング素子（Ｑ）は下部表示板１００に備えられた薄膜トランジスタなどの三端子素子であって、その制御端子はゲート線（Ｇｉ）と接続されており、入力端子はデータ線（Ｄｊ）と接続されており、出力端子は液晶キャパシタ（Ｃｌｃ）及びストレージキャパシタ（Ｃｓｔ）と接続されている。
【００２６】
液晶キャパシタ（Ｃｌｃ）は、下部表示板１００の画素電極１９１と上部表示板２００の共通電極２７０を２つの端子とし、２つの電極１９１、２７０の間の液晶層３は誘電体として機能する。画素電極１９１はスイッチング素子（Ｑ）と接続され、共通電極２７０は上部表示板２００の全面に形成されて共通電圧（Ｖｃｏｍ）の印加を受ける。図２とは異なり、共通電極２７０は下部表示板１００に設置される場合もあり、その場合には、２つの電極１９１、２７０のうち少なくとも１つを線形または棒形に形成してもよい。
【００２７】
液晶キャパシタ（Ｃｌｃ）の補助的な役割を果たすストレージキャパシタ（Ｃｓｔ）は、下部表示板１００に設置された別個の信号線（図示せず）と画素電極１９１が絶縁体を介在して重なって構成され、この別個の信号線には共通電圧（Ｖｃｏｍ）などの所定の電圧が印加される。しかし、ストレージキャパシタ（Ｃｓｔ）は、画素電極１９１が絶縁体を媒介としてすぐ上の前段ゲート線と重なって構成してもよい。
【００２８】
一方、色表示を実現するために、各画素（ＰＸ）が基本色のうちの１つを固有に表示したり（空間分割）、各画素（ＰＸ）が時間によって交互に基本色を表示して（時間分割）、これら基本色の空間的、時間的な作用で所望の色相が認識されるようにする。基本色の例としては赤色、緑色、青色など三原色がある。図２は空間分割の一例であり、液晶表示装置の各画素（ＰＸ）が画素電極１９１に対応する上部表示板２００の領域に基本色のうちの１つを示すカラーフィルタ２３０を備えている。図２と異なり、カラーフィルタ２３０は、下部表示板１００の画素電極１９１の上または下に形成してもよい。
【００２９】
表示板部３００の外側面には光を偏光させる少なくとも１つの偏光子（図示せず）が付着されている。
【００３０】
また図１に戻ると、階調電圧生成部５５０は、画素（ＰＸ）の透過率に関連する２組の階調電圧集合（または基準階調電圧集合）を生成する。その１組は共通電圧（Ｖｃｏｍ）に対してプラスの値を有し、もう１組はマイナスの値を有する。
【００３１】
ゲート駆動部４００は、表示板部３００のゲート線（Ｇ１-Ｇｎ）と接続され、ゲートオン電圧（Ｖｏｎ）とゲートオフ電圧（Ｖｏｆｆ）の組み合わせからなるゲート信号をゲート線（Ｇ１-Ｇｎ）に印加する。
【００３２】
データ駆動部５００は、表示板部３００のデータ線（Ｄ１-Ｄｍ）と接続されており、階調電圧生成部８００からの階調電圧を選択し、これをデータ信号としてデータ線（Ｄ１-Ｄｍ）に印加する。データ駆動部５００の詳細な構造は後述する。
【００３３】
信号制御部６００はゲート駆動部４００及びデータ駆動部５００などを制御する。このような駆動装置４００、５００、５５０、６００の各々は、少なくとも１つの集積回路チップの形態に表示板部３００上に直接装着してもよく、フレキシブル印刷回路膜（図示せず）上に装着してＴＣＰ（ｔａｐｅ  ｃａｒｒｉｅｒ  ｐａｃｋａｇｅ）の形態で表示板部３００に設置してもよく、別途の印刷回路基板（図示せず）上に装着してもよい。さらに、これらの駆動装置４００、５００、５５０、６００は信号線（Ｇ１-Ｇｎ、Ｄ１-Ｄｍ）及び薄膜トランジスタスイッチング素子（Ｑ）などと共に表示板部３００に集積してよい。また、駆動装置４００、５００、５５０、６００は単一チップで集積してもよく、この場合、これらの少なくとも１つ、またはこれらを構成する少なくとも１つの回路素子は単一チップの外側に存在してもよい。
【００３４】
次に、このような表示装置の動作について詳細に説明する。
【００３５】
信号制御部６００は、外部のグラフィック制御部（図示せず）から入力画像信号（Ｒ、Ｇ、Ｂ）及びその表示を制御する入力制御信号を受信する。入力画像信号（Ｒ、Ｇ、Ｂ）は、各画素（ＰＸ）の輝度情報を有しており、輝度は定められた数、例えば、１０２４（=２１０）、２５６（=２８）または６４（=２６）個の階調（ｇｒａｙ）を有する。入力制御信号の例としては、垂直同期信号（Ｖｓｙｎｃ）と水平同期信号（Ｈｓｙｎｃ）、メインクロック（ＭＣＬＫ）、データイネーブル信号（ＤＥ）などがある。
【００３６】
信号制御部６００は、入力画像信号（Ｒ、Ｇ、Ｂ）と入力制御信号に基づいて入力画像信号（Ｒ、Ｇ、Ｂ）を表示板部３００の動作条件に合うように適宜処理し、ゲート制御信号（ＣＯＮＴ１）及びデータ制御信号（ＣＯＮＴ２）などを生成した後、ゲート制御信号（ＣＯＮＴ１）をゲート駆動部４００に送信し、データ制御信号（ＣＯＮＴ２）と処理した画像信号（ＤＡＴ）をデータ駆動部５００に送信する。
【００３７】
ゲート制御信号（ＣＯＮＴ１）は、走査開始を指示する走査開始信号（ＳＴＶ）とゲートオン電圧（Ｖｏｎ）の出力周期を制御する少なくとも１つのクロック信号を有する。ゲート制御信号（ＣＯＮＴ１）はさらに、ゲートオン電圧（Ｖｏｎ）の持続時間を限定する出力イネーブル信号（ＯＥ）を有してもよい。
【００３８】
データ制御信号（ＣＯＮＴ２）は一行の画素（ＰＸ）に対する画像信号（ＤＡＴ）の伝送開始を知らせる水平同期開始信号（ＳＴＨ）とデータ線（Ｄ１-Ｄｍ）にデータ信号の印加を指示するロード信号（ＬＯＡＤ）、及びデータクロック信号（ＨＣＬＫ）を有する。液晶表示装置の場合、データ制御信号（ＣＯＮＴ２）も同様、共通電圧（Ｖｃｏｍ）に対するアナログデータ信号電圧の電圧極性（以下、共通電圧に対するデータ信号電圧の極性を略してデータ信号電圧の極性と記載する）を反転させる反転信号（ＲＶＳ）をさらに有してもよい。
【００３９】
信号制御部６００からのデータ制御信号（ＣＯＮＴ２）に従って、データ駆動部５００は一行の画素（ＰＸ）に対する画像信号（ＤＡＴ）を受信し、これに対応する階調電圧を選択することによって、デジタル画像信号（ＤＡＴ）をアナログデータ信号に変換した後、これを当該データ線（Ｄ１-Ｄｍ）に印加する。
【００４０】
ゲート駆動部４００は、信号制御部６００からのゲート制御信号（ＣＯＮＴ１）に従ってゲートオン電圧（Ｖｏｎ）をゲート線（Ｇ１-Ｇｎ）に印加し、このゲート線（Ｇ１-Ｇｎ）に接続されたスイッチング素子（Ｑ）をターンオンさせる。すると、データ線（Ｄ１-Ｄｍ）に印加されたデータ信号がターンオンされたスイッチング素子（Ｑ）を介して当該画素（ＰＸ）に印加される。
【００４１】
図２に示すような液晶表示装置においては、画素（ＰＸ）に印加されたデータ信号の電圧と共通電圧（Ｖｃｏｍ）との差は、液晶キャパシタ（Ｃｌｃ）の充電電圧、つまり、画素電圧として現れる。液晶分子は、画素電圧の大きさによってその配列が異なり、このため、液晶層３を通過する光の偏光が変化する。このような偏光の変化は表示板組立体３００に付着された偏光子によって光透過率の変化として現れ、これによって画素（ＰＸ）は、画像信号（ＤＡＴ）の階調が示す輝度を表示する。
【００４２】
１水平周期（１Ｈともいい、水平同期信号Ｈｓｙｎｃ及びデータイネーブル信号ＤＥの一周期と同一である）を単位にしてこのような過程を繰り返すことによって、全てのゲート線（Ｇ１-Ｇｎ）に対して順次にゲートオン電圧（Ｖｏｎ）を印加し、全ての画素（ＰＸ）にデータ信号を印加して、１フレーム（ｆｒａｍｅ）の画像を表示する。
【００４３】
液晶表示装置においては、１フレームが終了すれば次のフレームが開始され、各画素（ＰＸ）に印加されるデータ信号電圧の極性が直前フレームでの極性と逆になるように、データ駆動部５００に印加される反転信号（ＲＶＳ）の状態が制御される（フレーム反転）。このとき、１フレーム期間内でも反転信号（ＲＶＳ）の特性によって１つのデータ線を介して流れる複数のデータ信号電圧の極性を変えたり（行反転、ドット反転）、１つの画素行に印加される複数のデータ信号電圧の極性も互いに異なるようにしてもよい（列反転、ドット反転）。
【００４４】
次に、図３及び図４を参照してデータ駆動部について詳細に説明する。
【００４５】
図３は本発明の一実施例による表示装置用データ駆動部のブロック図であり、図４はデータ駆動部を構成するデータ駆動集積回路のブロック図である。図３を参照すれば、本発明の一実施例によるデータ駆動部５００は、複数の例えば第１〜第ｋデータ駆動集積回路（ＩＣ１、ＩＣ２、…、ＩＣｋ）（ｋは自然数）を有する。
【００４６】
データ駆動集積回路（ＩＣ１、ＩＣ２、…、ＩＣｋ）は、表示板部３００の行方向に順次に配列され、信号制御部６００と第１データ駆動集積回路（ＩＣ１）との間及び隣接したデータ駆動集積回路（ＩＣ１、ＩＣ２、…、ＩＣｋ）の間において、少なくとも１つのデータ伝送線を有する伝送線群（ＤＴ１-ＤＴｋ）が接続されている。
【００４７】
信号制御部６００と第１データ駆動集積回路（ＩＣ１）との間に位置する第１データ伝送線群（ＤＴ１）に属するデータ伝送線の数は、データ駆動集積回路（ＩＣ１、ＩＣ２、…、ＩＣｋ）の数（=ｋ）と等しく、データ駆動集積回路（ＩＣ１、ＩＣ２、…、ＩＣｋ）を１つ通過するたびにデータ伝送線群（ＤＴ１-ＤＴｋ）に属するデータ伝送線の数は１つずつ減少する。従って、第ｐ-１データ駆動集積回路（ＩＣｐ-１）（ｐ=２、…、ｋ）と、第ｐデータ駆動集積回路（ＩＣｐ）との間の第ｐデータ伝送先群（ＤＴｐ）に属するデータ伝送線の数は（ｋ+１-ｐ）個である。また、一番最後のデータ駆動集積回路（ＩＣｋ）と、その前のデータ駆動集積回路（ＩＣｋ-１）との間の最後のデータ伝送線群（ＤＴｋ）に属するデータ伝送線群の数は１つである。
【００４８】
信号制御部６００においては、第１データ伝送線群（ＤＴ１）に属するｋ個のデータ伝送線（以下、第ｋ伝送線群に属するデータ伝送線を第ｋ伝送線という）の各々は、１つのデータ駆動集積回路（ＩＣ１、ＩＣ２、…、ＩＣｋ）に割当てられる１つの画像信号群（ＤＡＴ１-ＤＡＴｋ）を伝送する。
【００４９】
さらに各データ伝送線は、表示装置の画素（ＰＸ）が示す基本色の数と同一の数の信号線を有している。例えば、信号制御部６００に入力される入力画像信号（Ｒ、Ｇ、Ｂ）が赤色、緑色及び青色を示す画素（ＰＸ）に対するものである場合には（以下、赤色、緑色及び青色を示す画素を各々赤色画素、緑色画素及び青色画素と称し、各画素と関連する画像信号は各々赤色画像信号、緑色画像信号及び青色画像信号と称する）、データ伝送線の各々は赤色画像信号を伝送するための赤色信号線（図示せず）、緑色画像信号を伝送するための緑色信号線（図示せず）及び青色画像信号を伝送するための青色信号線（図示せず）を有してもよい。なお、赤色、緑色及び青色信号線の各々は、画像信号のビット数に相当する数またはそれ以下の副信号線(Ｓｕｂ−Ｓｉｇｎａｌ  ｌｉｎｅｓ)（図示せず）を有してもよい。
【００５０】
このような構造において、各々のデータ駆動集積回路（ＩＣ１、ＩＣ２、…、ＩＣｋ）は、自己に必要な画像信号（ＤＡＴ１-ＤＡＴｋ）のみを受信し、残りの画像信号はデータ伝送線を介し、次のデータ駆動集積回路（ＩＣ１、ＩＣ２、…、ＩＣｋ）に伝達する。
【００５１】
例えば、第１データ駆動集積回路（ＩＣ１）５４０は、信号制御部６００からｋ個の第１伝送線群（ＤＴ１）を介してｋ個の画像信号群（ＤＡＴ１-ＤＡＴｋ）を受信し、その中で第１データ駆動集積回路（ＩＣ１）に必要な第１画像信号群（ＤＡＴ１）を選択し、残りの（ｋ-１）個の画像信号群（ＤＡＴ２-ＤＡＴｋ）は、第２データ伝送線群（ＤＴ２）を介して第２データ駆動集積回路（ＩＣ２）に伝送する。
【００５２】
第ｐデータ駆動集積回路（ＩＣｐ）は、直前のデータ駆動集積回路、つまり、第ｐ-１データ駆動集積回路（ＩＣｐ-１）から第ｐ伝送線群（ＤＴｐ）を介して（ｋ+１-ｐ）個の画像信号群（ＤＡＴｐ-ＤＡＴｋ）を受信した後、この中で第ｐ画像信号群（ＤＡＴｐ）を選択し、残りの画像信号群（ＤＡＴｐ+１-ＤＡＴｋ）は、第ｐ+１伝送線群（ＤＴｐ+１）を介して次のデータ駆動集積回路（ＩＣｐ+１）に伝達する。一番最後の第ｋデータ駆動集積回路（ＩＣｐ）は、第ｋ-１データ駆動集積回路（ＩＣｋ-１）から第ｋ伝送線群（ＤＴｋ）を介して１つの画像信号群（ＤＡＴｋ）を受信して処理すればよい。
【００５３】
このようなカスケード（ｃａｓｃａｄｉｎｇ）伝送方式で画像信号（ＤＡＴ１-ＤＡＴｋ）を伝送する場合は、信号制御部６００から離れているデータ駆動集積回路（ＩＣｋ）までデータ駆動集積回路（ＩＣ１、ＩＣ２、…、ＩＣｋ）を通過するたびにデータ伝送線が１つずつ減少する。従って、配線数が画期的に減少するとともに、減った配線数だけ受信・送信のためのロジック（ｌｏｇｉｃ）も減らすことができ、データ駆動部５００の消費電力を低くすることができる。
【００５４】
図４を参照して、本発明の一実施例によるデータ駆動集積回路について詳細に説明する。説明上、図３のデータ駆動集積回路のうち第１データ駆動集積回路を図４に図示した。
【００５５】
第１データ駆動集積回路（ＩＣ１）５４０は、入力部（ｒｅｃｅｉｖｅｒ）５４５、出力部（ｔｒａｎｓｍｉｔｔｅｒ）５４６、シフトレジスタ（ｓｈｉｆｔ  ｒｅｇｉｓｔｅｒ）５４１、ラッチ（ｌａｔｃｈ）５４２、デジタル-アナログ変換器（ｄｉｇｉｔａｌ-ｔｏ-ａｎａｌｏｇ  ｃｏｎｖｅｒｔｅｒ）５４３及び出力バッファ（ｏｕｔｐｕｔ  ｂｕｆｆｅｒ）５４４を有する。シフトレジスタ５４１、ラッチ５４２、デジタル-アナログ変換器５４３及び出力バッファー５４４は順次に接続されている。
【００５６】
入力部５４５は、信号制御部６００と接続されるｋ個の第１データ伝送線から第１〜第ｋ画像信号群（ＤＡＴ１-ＤＡＴｋ）を受信し、この中から第１画像信号群（ＤＡＴ１）を選択する。出力部５４６は、第２データ伝送線と接続され、第１画像信号群（ＤＡＴ１）を除いた残りの第２〜第ｋ画像信号群（ＤＡＴ２-ＤＡＴｋ）をデータクロック信号（ＨＣＬＫ）に従って再整列（ｒｅａｒｒａｎｇｅ）し、第２データ伝送線を介して第２データ駆動集積回路（ＩＣ２）に伝送する。
【００５７】
シフトレジスタ５４１は、水平同期開始信号（ＳＴＨ）（またはシフトクロック信号）が受信されると、データクロック信号（ＨＣＬＫ）によって選択された第１画像信号群（ＤＡＴ１）の画像信号をラッチ５４２に伝達する。さらにシフトレジスタ５４１は、シフトクロック信号を後段のデータ駆動集積回路（ＩＣ１、ＩＣ２、…、ＩＣｋ）のシフトレジスタ５４１に送信する。
【００５８】
ラッチ５４２は、第１画像信号群（ＤＡＴ１）の画像信号を保存し、ロード信号（ＬＯＡＤ）によって画像信号をデジタル-アナログ変換器５４３に送信する。
【００５９】
デジタル-アナログ変換器５４３は、階調電圧生成部５５０から階調電圧の供給を受け、画像信号群（ＤＡＴ１）の各デジタル画像信号をアナログ電圧に変換して出力バッファ５４４に送信する。
【００６０】
出力バッファ５４４は、デジタル-アナログ変換器５４３からの出力電圧をデータ信号として出力端（Ｙ１、Ｙ２、…、Ｙｒ）に出力し、これを１水平周期の間、維持する。
【００６１】
次に、図５及び図６を参照して、本発明の一実施例による信号制御部及びデータ駆動集積回路の画像信号伝送動作を説明する。
【００６２】
図５はデータ駆動集積回路に伝送される信号波形図であり、図６はデータ駆動集積回路の動作を示すフローチャートである。
【００６３】
まず、信号制御部６００は、一行の画素に対する画像信号（ＤＡＴ）を複数の画像信号群（ＤＡＴ１-ＤＡＴｋ）に分ける。各画像信号群（ＤＡＴ１-ＤＡＴｋ）は、１つの駆動集積回路（ＩＣ１、…、ＩＣｋ）が担当する画像信号を有する。図５を参照すれば、それぞれの画像信号群（ＤＡＴ１-ＤＡＴｋ）は赤色、緑色及び青色画像信号（ＤＡＴ１Ｒ、ＤＡＴ１Ｇ、ＤＡＴ１Ｂ、…、ＤＡＴｋＲ、ＤＡＴｋＧ、ＤＡＴｋＢ）を含む。
【００６４】
次に信号制御部６００は、各画像信号群（ＤＡＴ１-ＤＡＴｋ）に当該画像信号を処理するデータ駆動集積回路（ＩＣ１、ＩＣ２、…、ＩＣｋ）と関連する識別コード（ＩＤ１、ＩＤ２、…、ＩＤｋ）を付与し、これに対応する画像信号群（ＤＡＴ１-ＤＡＴｋ）と共にデータ駆動部５００に伝送する。データ駆動部５００中の第１〜第ｋデータ駆動集積回路（ＩＣ１、…、ＩＣｋ-１）の各々は、識別コード（ＩＤ１、ＩＤ２、…、ＩＤｋ）を読み取り、自分が処理すべき画像信号群（ＤＡＴ１-ＤＡＴｋ）のみを選択し、残りは次のデータ駆動集積回路（ＩＣ２、…、ＩＣｋ）に伝送する。
【００６５】
このとき、全てのデータ駆動集積回路（ＩＣ１、…、ＩＣｋ）が同一の規則に基づいて自己が処理すべき画像信号群（ＤＡＴ１-ＤＡＴｋ）を１つだけ選択する。この動作のために識別コード（ＩＤ１、ＩＤ２、…、ＩＤｋ）相互間に所定の規則を定める。
【００６６】
識別コード（ＩＤ１、ＩＤ２、…、ＩＤｋ）相互間に用いられる規則を定める際には、信号制御部６００を基準としたときに、データ駆動集積回路（ＩＣ１、ＩＣ２、…、ＩＣｋ）が接続される順番を考慮する必要がある。データ駆動集積回路（ＩＣ１、ＩＣ２、…、ＩＣｋ）の各々に固有の識別字（ｉｄｅｎｔｉｆｉｅｒｓ）を割り当てることは不要であるとともに、そのような識別字が既に与えられたとしても、これらを識別コード（ＩＤ１、ＩＤ２、…、ＩＤｋ）に含ませない。従ってデータ駆動集積回路（ＩＣ１、ＩＣ２、…、ＩＣｋ）の接続順番が変わったり、その中の１つが無くなった場合でも、例えば信号制御部６００からの接続順番に従って処理すべき画像信号群（ＤＡＴ１-ＤＡＴｋ）が決定される。特に、データ駆動集積回路（ＩＣ１、ＩＣ２、…、ＩＣｋ）のうちの少なくとも１つが脱落した場合には、一番最後の画像信号群は選択されない。
【００６７】
識別コード（ＩＤ１、ＩＤ２、…、ＩＤｋ）は二進数であってもよく、互いに異なる値を有してもよい。この場合、それぞれのデータ駆動集積回路（ＩＣ１、ＩＣ２、…、ＩＣｋ）は、１つの識別コード（ＩＤ１、ＩＤ２、…、ＩＤｋ）だけを選択するという規則があり、例えば、最小値を有する識別コード（ＩＤ１、ＩＤ２、…、ＩＤｋ）を選択するものである。すると、信号制御部６００から最も近いデータ駆動集積回路順に最小値を有する識別コード（ＩＤ１、ＩＤ２、…、ＩＤｋ）が割り当てられている画像信号群（ＤＡＴ１-ＤＡＴｋ）を選択する。これに対し、それぞれのデータ駆動集積回路（ＩＣ１、ＩＣ２、…、ＩＣｋ）が最大値を有する識別コード（ＩＤ１、ＩＤ２、…、ＩＤｋ）を選択するように定めると、信号制御部６００から最も近いデータ駆動集積回路順に最大値を有する識別コード（ＩＤ１、ＩＤ２、…、ＩＤｋ）が割り当てられている画像信号群（ＤＡＴ１-ＤＡＴｋ）を選択する。以下にこれをさらに詳細に説明する。
【００６８】
図５を参照すれば、水平同期開始信号（ＳＴＨ）がローレベルに転移すると、信号制御部６００は、第１データ伝送線群（ＤＴ１）に属するデータ伝送線の各々に識別コード（ＩＤ１、ＩＤ２、…、ＩＤｋ）と制御信号（ＣＯＮＴ）を同時に出力する（第１区間ＴＡ１）。この際、識別コード（ＩＤ１、ＩＤ２、…、ＩＤｋ）と制御信号（ＣＯＮＴ）は、互いに異なる信号線に載せる。図５の例では、赤色信号線（ＤＴＲｑ）（ｑ=１、…、ｋ）と緑色信号線（ＤＴＧｑ）には制御信号（ＣＯＮＴ）を載せ、青色信号線（ＤＴＢｑ）には識別コードを載せている。
【００６９】
制御信号（ＣＯＮＴ）は、続いて伝送すべき画像信号に関する情報などを含むんでいる。例えば、制御信号（ＣＯＮＴ）は、水平同期開始信号（ＳＴＨ）、ラッチ５４２に入力されるロード信号（ＬＯＡＤ）またはデータ信号の電圧極性を決定する信号などを含んでもよい。
【００７０】
水平同期開始信号（ＳＴＨ）が再びハイレバルに転移した後、データクロック信号（ＨＣＬＫ）のクロックの数周期、例えば、図５のように半周期が経過すると第１データ入力区間（ＴＢ１）が始まる。信号制御部６００は、第１データ伝送線群（ＤＴ１）に属するデータ伝送線の各々に識別コード（ＩＤ１）に対応する１つの画像信号群（ＤＡＴ１-ＤＡＴｋ）を伝送する。
【００７１】
一方、第１データ駆動集積回路（ＩＣ１）の入力部５４５は、各データ伝送線の識別コード（ＩＤ１、ＩＤ２、…、ＩＤｋ）を受信した後、これを読み取る。識別コードが１に等しい、すなわち、Ｋ＝１の場合、画像信号群も１つである。入力部５４５は、識別コード（ＩＤ１、ＩＤ２、…、ＩＤｋ）を比較し、自己を指定する識別コード（ＩＤ１、ＩＤ２、…、ＩＤｋ）に続く画像信号群（ＤＡＴ１）を選択する。例えば入力部５４５は、識別コード（ＩＤ１、ＩＤ２、…、ＩＤｋ）のうちの最も小さな値を示す識別コード（ＩＤ１）に続く画像信号群（ＤＡＴ１）を選択してもよい。入力部５４５は、選択された画像信号群（ＤＡＴ１）の画像信号をラッチ５４２に伝達し、ラッチ５４２は画像信号群（ＤＡＴ１）の画像信号を保存する。
【００７２】
さらに入力部５４５は、自己と無関係な識別コード（ＩＤ２、…、ＩＤｋ）に続く残りの画像信号群（ＤＡＴ２-ＤＡＴｋ）を出力部５４６に伝送し、出力部５４６はこれを第２データ伝送線群（ＤＴ２-ＤＴｋ）を介して第２データ駆動集積回路（ＩＣ２）に伝送する。
【００７３】
一方、信号制御部６００は、識別コード（ＩＤ１、ＩＤ２、…、ＩＤｋ）及び各画像信号群（ＤＡＴ１-ＤＡＴｋ）の伝送を終了すると、シフトクロック信号（ＳＴＨ）を再びローレベルに転移させる。これと同時に信号制御部６００は、第１データ伝送線群（ＤＴ１）に属する各データ伝送線に制御信号（ＣＯＮＴ）を出力する。例えば図５に示すように、各データ伝送線において、制御信号（ＣＯＮＴ）は、赤色及び緑色信号線に載せられるが、青色信号線には制御信号（ＣＯＮＴ）及び識別コード（ＩＤ１、ＩＤ２、…、ＩＤｋ）のいずれも載せられない。制御信号（ＣＯＮＴ）の出力を終了したのち、信号制御部６００は、所定の時間の間に、無効データを伝送し、あるいは、有効な信号の伝送を中止する。信号制御部６００は、このように制御信号（ＣＯＮＴ）の出力と無効データの伝送を数回繰り返す。
【００７４】
第１データ駆動集積回路（ＩＣ１）が選択しない画像信号群（ＤＡＴ２-ＤＡＴｋ）及び対応する識別コード（ＩＤ１、ＩＤ２、…、ＩＤｋ）を第２データ駆動集積回路（ＩＣ２）に送信することは、信号制御部６００から第２の制御信号（ＣＯＮＴ）の入力と同時に始まる。これにより、第２データ駆動集積回路（ＩＣ２）は第１データ駆動集積回路（ＩＣ２）と実質的に同一の動作を繰り返し、残りのデータ駆動集積回路（ＩＣ３、…、ＩＣｋ）も同様に動作する。
【００７５】
前述のように、各駆動集積回路（ＩＣ１、…、ＩＣｋ）が最小値を有する識別コード（ＩＤ１、…、ＩＤｋ）を選択するように設定されている場合、最小値を有する識別コード（ＩＤ１）に対応する画像信号群（ＤＡＴ１）から順に選択される。尚、本発明は、上述の実施例に限られるものではない。本発明の技術的範囲から逸脱しない範囲内で多様に変更実施することが可能である。
【図面の簡単な説明】
【００７６】
【図１】本発明の一実施例による表示装置のブロック図である。
【図２】本発明の一実施例による液晶表示装置の一画素に対する等価回路図である。
【図３】本発明の一実施例による液晶表示装置のデータ駆動部のブロック図である。
【図４】本発明の一実施例によるデータ駆動部のデータ駆動集積回路のブロック図である。
【図５】本発明の一実施例によるデータ駆動集積回路に伝送される信号波形図である。
【図６】本発明の一実施例によるデータ駆動集積回路の動作を示すフローチャートである。
【符号の説明】
【００７７】
１００、２００  表示板
３  液晶層
３００  表示板部
４００  ゲート駆動部
５００  データ駆動部
５５０  階調電圧生成部
６００  信号制御部
１９１  画素電極
２００  上部表示板
２７０  共通電極
２３０  カラーフィルタ
５４５  入力部
５４６  出力部
【図１】
2007213077.tif 000003
【図２】
2007213077.tif 000004
【図３】
2007213077.tif 000005
【図４】
2007213077.tif 000006
【図５】
2007213077.tif 000007
【図６】
2007213077.tif 000008